(57)【要約】    【課題】  中間転写体の耐久性を向上させ、当該中間転写体が寿命に至った場合には再転写部材と擦り合うことなく取り外すことができ、必要に応じてジャム処理も容易に行うことができる画像形成装置を提供する。    【解決手段】  像担持体上の可視像を転写される中間転写体(11)と、当該中間転写体上のトナー像を転写材に再転写する再転写部材(34)を備えた画像形成装置において、上記中間転写体が、その回転軸の方向に、画像形成装置本体の内部から外部へ移動可能であり、上記再転写部材を支持し、上記回転軸に直交する方向に開閉するカバー(40)と、当該カバーが閉じられた状態で、上記再転写部材を、上記中間転写体に接触する第１位置と上記中間転写体から離間する第２位置の間で移動させる再転写部材移動機構とを更に備えるように構成する。【選択図】    図７
2006084957.tif 000002
【特許請求の範囲】
【請求項１】
像担持体上の可視像を転写される中間転写体と、当該中間転写体上のトナー像を転写材に再転写する再転写部材を備えた画像形成装置において、
前記中間転写体は、その回転軸の方向に、画像形成装置本体の内部から外部へ移動可能であり、
前記再転写部材を支持し、前記回転軸に直交する方向に開閉するカバーと、
当該カバーが閉じられた状態で、前記再転写部材を、前記中間転写体に接触する第１位置と前記中間転写体から離間する第２位置の間で移動させる再転写部材移動機構とを更に備えることを特徴とする画像形成装置。
【請求項２】
前記再転写部材移動機構が、前記再転写部材を前記中間転写体に接触する方向へ付勢可能な付勢部材と、当該付勢部材の作動・非作動を実行する加圧制御手段とを有することを特徴とする請求項１に記載の画像形成装置。
【請求項３】
画像形成動作時に前記加圧制御手段に通電して付勢部材を作動させる制御部を備えることを特徴とする請求項２に記載の画像形成装置。
【発明の詳細な説明】
【技術分野】
【０００１】
本発明は、複写機、プリンタ、ファクシミリ等の電子写真方式を用いた画像形成装置に係り、詳しくは装置本体に着脱可能な中間転写ユニットを有する画像形成装置に関するものである。
【背景技術】
【０００２】
【特許文献１】特開平１１−７３０３５号公報
【特許文献２】特開平１１−３５２７４１号公報
【特許文献３】特開２０００−２３１３２１号公報
【０００３】
電子写真方式を用いた画像形成装置において、像担持体上に形成されたトナー像を、中間転写ベルトを介して転写材たる用紙に転写する構成が周知である。中間転写ベルト等のベルト体は消耗品であり、したがって、その寿命に合わせて交換できるように、ベルト体を含むユニット（ベルト装置）は画像形成装置本体から着脱可能であることが要請される。特許文献１には、中間転写ベルトが像担持体の軸方向に沿って移動可能とし、非一次転写時に中間転写ベルトを像担持体から離間させて、像担持体表面と擦れ合うことなくベルトモジュールを画像形成装置外に引き出すことができる構成が開示されている。
【０００４】
また画像形成装置本体の剛性の低下を防止しつつ、中間転写体等の交換を容易にするため、特許文献２では、画像形成装置本体に設けられた平板状の前側板と後側板の間に、感光体や中間転写体ユニット等を着脱自在に装着して、感光体や現像器を前側板、後側板に直交する方向に着脱し、中間転写体ユニットや中間転写体のトナー像を転写材に転写するための転写ユニットを共に前側板、後側板と平行する方向に着脱する構成が提案されている。
【０００５】
しかしながら、これら特許文献１や特許文献２に開示された構成は、中間転写体と二次転写体（再転写部材）が一体に着脱されるようになっており、中間転写体と二次転写体との寿命が異なる場合には、無駄な廃棄部材や無駄な交換作業が発生することになる。
【０００６】
また用紙搬送経路においてはジャムの発生を避けることができない。そのため、特許文献３などでは、用紙に画像を転写するための転写装置を転写カバーに支持させ、この転写カバーを像担持体に対して開閉可能とし、用紙搬送経路を開放する構成が開示されている。
【発明の開示】
【発明が解決しようとする課題】
【０００７】
本発明は、中間転写体の耐久性を向上させ、当該中間転写体が寿命に至った場合には再転写部材と擦り合うことなく取り外すことができ、必要に応じてジャム処理も容易に行うことができる画像形成装置を提供することを課題とする。
【課題を解決するための手段】
【０００８】
上記課題は、本発明により、像担持体上の可視像を転写される中間転写体と、当該中間転写体上のトナー像を転写材に再転写する再転写部材を備えた画像形成装置において、上記中間転写体が、その回転軸の方向に、画像形成装置本体の内部から外部へ移動可能であり、上記再転写部材を支持し、上記回転軸に直交する方向に開閉するカバーと、当該カバーが閉じられた状態で、上記再転写部材を、上記中間転写体に接触する第１位置と上記中間転写体から離間する第２位置の間で移動させる再転写部材移動機構とを更に備えるように構成することで、解決される。
【０００９】
上記再転写部材移動機構が、再転写部材を中間転写体に接触する方向へ付勢可能な付勢部材と、当該付勢部材の作動・非作動を実行する加圧制御手段とを有すれば、好適である。例えば、加圧制御手段を通電することで付勢部材を作動させて、再転写部材を中間転写体に接触させ、通電しないことで再転写部材を中間転写体から離間させるようにすることができる。その際、画像形成動作時に上記加圧制御手段に通電して付勢部材を作動させる制御部を備えるようになっていれば好ましい。加圧制御手段への通電・非通電と付勢部材の作動・非作動の関係を逆にすることも当然ながら可能である。
【発明の効果】
【００１０】
請求項１に係る発明によれば、再転写部材移動機構を備えることで、カバーを開けることなく、再転写部材を中間転写体から離間させることができる。それによって、中間転写体を外部に移動する際に、カバーを開けることなく、中間転写体と再転写部材が擦れ合う事態を防止できる。またジャム等が発生した際には、カバーを開けることで中間転写体を再転写部材から大幅に離間させることができるので、その間の用紙搬送路を開放してジャム処理を容易に行うことができる。
【００１１】
また通電・非通電の選択により中間転写体と再転写部材の接触・離間を制御可能とすることで、画像形成動作時以外には中間転写体と再転写部材を離間して無用のストレスを回避し、製品寿命の長寿化を図ることができる。
【発明を実施するための最良の形態】
【００１２】
以下、本発明の実施の形態を図面に基づいて説明する。
本例の画像形成装置は中間転写方式によるフルカラープリンタとして構成されたもので、図１に示すように、装置本体のほぼ中央に支持ローラ１２，１３，１４に張架された中間転写ベルト１１を横方向に配設している。この中間転写ベルト１１の下部走行辺に沿って、４つの作像ユニットＳＵが並設されている。作像ユニットＳＵは、感光体ドラム１を中心としてその周囲にクリーニング手段２，除電手段３，帯電手段４，現像器５等の電子写真プロセスに必要な機器を配置して成るものである。各作像ユニットＳＵ（ａ，ｂ，ｃ，ｄ）の構成は同じであるが、現像器５で扱うトナーの色がそれぞれマゼンタ、シアン、イエロー、ブラックである点が異なっている。
【００１３】
作像ユニットＳＵの下方には露光装置６が配設されている。本例の露光装置６は公知のレーザ方式で、各色画像情報に対応した書き込み光を感光体表面に照射して潜像を形成する。ＬＥＤアレイと結像手段から成る露光装置を採用することも可能である。
【００１４】
中間転写ベルト１１は厚みが５０〜６００μｍの樹脂フィルムあるいはゴムを基体にしたベルトで、感光体１からトナーを転写可能とする抵抗値を有している。当該中間転写ベルト１１は、不図示の駆動手段と連結された駆動ローラ１２により図中反時計回りに回転走行される。中間転写ベルト１１の感光体１と接触する面の裏側には、一次転写手段である転写ローラ１７が感光体１に対向して配置されている。これらの中間転写ベルト１１、支持ローラ１２，１３，１４及び転写ローラ１７はまとめて中間転写装置１０として画像形成装置本体から着脱可能となっている。
【００１５】
ベルトループの外側で支持ローラ１３に対向する位置には、クリーニング部材であるクリーニングブレード１６を有するクリーニング装置１５が配備されており、中間転写ベルト１１の表面に残留する不要なトナーや紙粉を拭い去る。このクリーング装置１５は、中間転写装置１０と共に中間転写ユニット２０として一体となり、画像形成装置本体から着脱可能になっている。これら着脱の機構、着脱方法については後述する。なおクリーニング装置１５を中間転写装置１０や画像形成装置本体から着脱可能に構成することも当然ながら可能である。
【００１６】
図において中間転写ベルト１１の右側には二次転写ユニット３０が配設されている。二次転写ユニット３０には、中間転写ベルト１１に担持されたトナー像を記録媒体に転写させる再転写部材（二次転写手段）としての転写ローラ３４が中間転写ベルト１１を支持するローラ１２の近傍に配備されている。この転写ローラ３４が中間転写ベルト１１に近接する箇所では、画像形成動作時でない場合に通常位置として僅かな離間状態となっていて、画像形成動作の際には転写ローラ３４が付勢されることで中間転写ベルト１１に接触するように構成されているが、転写ローラの中間転写ベルトに対する接離機構については後述する。
【００１７】
装置本体下部の給紙部に配備された２段の給紙カセット２６-１，２６-２には、記録媒体としての用紙Ｐが収納されており、最上位の用紙が給紙ローラ２７を含む給送手段によって給紙され、給紙された用紙は複数のガイド部材２９及び２５に案内されてレジストローラ対２８へ搬送される。
【００１８】
二次転写ユニット３０の上方には、ヒータ等の熱源を内蔵した定着装置３６が設けられ、この定着装置３６に続いて排紙ガイド３７、排紙ローラ対３８が配備されている。二次転写ユニット３０を支持し本体の一部を成す二次転写カバー４０は、開閉支軸２４を中心として回動・開放が可能な構造になっており、用紙Ｐがジャムした場合は用紙搬送路を大きく開き、ジャム紙の処理を容易にしている。
【００１９】
画像形成装置本体の上面は排紙スタック部３９として構成されている。その排紙スタック部３９の下方で且つ中間転写ベルト１１の上方には、補給用のトナーを収納した４個のトナーカートリッジＴＣをセットできる収納部ＴＳが設けられている。トナーカートリッジＴＣのトナーの色は、マゼンタ、シアン、イエロー、ブラックの４色であり、不図示の粉体ポンプによって対応する色の現像装置５に補給される。
【００２０】
上記のように構成された画像形成装置における画像形成動作について説明する。本例の画像形成装置はいわゆるプリンタであり、書き込みのための信号はホストマシーン、例えばコンピュータから送られてくる。受信した画像信号に基づいて露光装置６が駆動され、露光装置のレーザ光源（図示せず）からの光は、モータにより回転駆動されるポリゴンミラーによって走査され、ミラー等を経て、帯電装置４により一様帯電された感光体ドラム１に照射され、感光体１上に書き込み情報（色分解された各色の画像情報）に対応した潜像を形成する。
【００２１】
感光体ドラム１上に形成された潜像は、現像装置５で現像され、トナー像となって当該感光体ドラム１の表面に形成・保持される。このトナー像は、一次転写ローラ１７により、感光体ドラム１と同期して移動する中間転写ベルト１１の表面に転写される。トナー像転写後の感光体ドラム１の表面に残留するトナーは、クリーニング手段２によってクリーニングされ、その後に感光体ドラム１は除電装置３で除電され次の作像サイクルに備える。
【００２２】
中間転写ベルト１１は、作像ユニットａの感光体ドラム１から転写されたトナー像を表面に担持して矢印の方向に移動する。作像ユニットｂの感光体ドラム１に、別の色に対応する潜像が書き込まれ、対応する色のトナーで現像され、トナー像となる。この像は、すでに中間転写ベルト１１に乗っている前の色のトナー像に重ねられ、最終的に作像部ａ，ｂ，ｃ，ｄで形成された４色のトナー像が重ねられてフルカラー画像が形成される。
【００２３】
中間転写ベルト１１上のトナー像が所定のところまで移動すると給紙が開始される。すなわち、給紙ローラ２７が矢印の方向に回転し、給紙カセット２６−１又は２６−２内の最上位の用紙Ｐが引き出され、レジストローラ対２８に搬送される。そして、画像の位置が正規のものとなるようにタイミングが取られて、レジストローラ対２８から用紙が送り出される。中間転写ベルト１１と二次転写ローラ３４の間に送られた用紙Ｐの片側の面に、中間転写ベルト１１上の４色重ねられたトナー像が、一度に転写される。
【００２４】
本例では、感光体ドラム１の表面に形成される静電潜像の極性はプラスであり、感光体上に作像されるトナーの極性はマイナスである。一次転写ローラ１７に感光体１の潜像の電荷よりも大きなプラスの電荷を与えることで、感光体１上に保持されたトナーは中間転写ベルト１１に転写される。また、二次転写ローラ３４にプラスの電荷を与えることで、中間転写ベルト１１に担持されたトナーが用紙Ｐに転写される。
【００２５】
上記のようにして表面にトナー像が転写された用紙Ｐは、定着装置３６に送られ、用紙Ｐ上のトナー像が定着され、排紙ガイド３７を経て排紙ローラ対３８により排紙スタック部３９に排出される。
【００２６】
図１のように排紙部３９を構成した場合、画像面が下面となって排紙部３９に載置されるため、１頁目から順次作像すると頁揃えが自動的に可能である。中間転写ベルト１１から用紙Ｐに画像を転写した後、内部にクリーニングブレード１６を備えたクリーニング装置１５によりベルト面から不要なトナーや紙粉は拭い取られて回収がなされる。
【００２７】
ここでは用紙の片面のみに画像を形成する動作について述べたが、二次転写ユニット３０を第２の中間転写ベルトとして構成することにより、用紙の両面に画像を形成する構成にしても良い。用紙Ｐの両面に画像を形成する場合は、中間転写ベルト１１の表面に担持された第１画像としての４色重ねのトナー像が二次転写ローラ３４により第２の中間転写ベルト３０に転写される。その後、第２画像としての４色重ねのトナー象が中間転写ベルト１１上に作像されている間に第１の画像は第２の中間転写ベルトに担持されて転写位置まで搬送される。中間転写ベルト１１、第２の中間転写ベルト及びレジストローラ対２８によりタイミングが計られ、用紙の両面に第１画像と第２画像とが同時に転写が行われる。
【００２８】
両面にトナー像が転写された用紙Ｐは、定着装置３６に送られ、両面の画像が同時に用紙上に定着され、排紙ガイド３７を経て排紙ローラ対３８により排紙部３９に排出されスタックされる。ここでは複数色のトナーを使った、カラー画像の作像に関して述べたが、モノクロ画像にも適用することができる。
【００２９】
次に中間転写ユニット２０の装置本体からの着脱について説明する。図２は、装置本体のフレーム構成を示す斜視図である。この図に示すように、本体フレームは、前後面板４１，４２、その前後面板間を連結する側面板４３及び底面板４４等により構成されている。また、前後面板４１，４２間には、中間転写装置１０を挿脱可能に支持するための左ガイドレール４５及び右ガイドレール４６が固定されている。
【００３０】
前面板４１には上下２つの開口４１ａ，ｂが設けられている。上部開口４１ａは、中間転写ユニット２０を構成する中間転写装置１０やクリーニング装置１５、並びに各作像ユニットＳＵを装置本体に着脱するための開口である。この上部開口４１ａを開閉するように、感光体面板４７が前面板４１に回動可能に装着支持されている。下部開口４１ｂは、給紙カセット２６-１，２６-２を挿脱するための開口である。
【００３１】
後面板４２には、駆動部４８が装着されている。この駆動部４８は、各作像ユニットＳＵにおける感光体ドラム１や現像装置５、あるいは中間転写ベルト１１の駆動ローラ等を駆動するためのモータやギヤ列等の駆動機構を含むものである。
【００３２】
図３は、中間転写ユニット２０が左右のガイドレール４５，４６に支持された様子を示す斜視図である。この図では、本体フレーム等は省略されている。中間転写装置１０とクリーニング装置１５からなる中間転写ユニット２０は左右のガイドレール４５，４６に支持され、一体的に装置本体に着脱可能となっている。中間転写装置１０の上面には一対の把手２３，２３が設けられている。この把手２３，２３は折り畳み可能に設けられており、中間転写装置１０あるいは中間転写ユニット２０を装置本体から引き出した際に、図示のように把手２３を引き出して手で持つことができる。そして、中間転写装置１０あるいは中間転写ユニット２０を装置本体に挿入する際には、中間転写装置１０の上面に沿って折り畳まれるように構成されている。
【００３３】
上述したように、中間転写装置１０（中間転写ユニット２０）は左右ガイドレール４５，４６に支持されて装置本体に着脱可能に構成されている。その中間転写装置１０（中間転写ユニット２０）の取り出しを規制するロック機構が図４に示すように設けられている。すなわち、中間転写装置１０を貫通して回動可能に支持された軸５１の前側端部にはロックレバー５２が固定されている。軸５１の後側端部にはロック部材５３が固定されている。ロック部材５３には三角状の突出部５３ａが形成されている。図４（ａ）に示すようにロックレバー５２の腕が水平位置にあるときはロック解除状態であり、このときロック部材５３の突出部５３ａはほぼ真上に位置している。図４（ｂ）に示すようにロックレバー５２を反時計回りに９０度回転させると、ロック部材５３の突出部５３ａは横向き（左向き）となる。
【００３４】
一方、本体フレームの後面板４２には、図５に示すように、ロック部材５３が入り込める挿入部４２ａが設けられている。中間転写装置１０（中間転写ユニット２０）を装置本体の奥までセットすると、ロック部材５３は挿入部４２ａから後面板４２の後側まで入り込む。ロックレバー５２が図４（ａ）に示す状態では、ロック部材５３とフレームの後面板４２の関係は図５（ａ）に示すように、突出部５３ａが後面板４２に係ることなく、中間転写装置１０（中間転写ユニット２０）は装置本体に脱着可能である。
【００３５】
中間転写装置１０（中間転写ユニット２０）を装置本体の奥まで挿入した状態でロックレバー５２を図４（ｂ）に示すように回転させるとロック部材５３も回転し、図５（ｂ）に示すように、突出部５３ａが後面板４２の奥側に入り込み、この状態で中間転写装置１０（中間転写ユニット２０）を引き出そうとしても突出部５３ａが後面板４２に引っ掛かることにより、中間転写装置１０（中間転写ユニット２０）が引き出し不能にロックされる。
【００３６】
また、図４（ａ）のロック解除状態では、ロックレバー５２の突出腕５２ａが感光体面板４７に係らず、感光体面板４７は開閉可能である。感光体面板４７を開放すると、既述のように、左右のガイドレール４５，４６に支持された中間転写ユニット２０を、すなわち中間転写装置１０とクリーニング装置１５を一体的に装置本体に対して着脱することができる。また、クリーニング装置用のロック機構を解除して、クリーニング装置１５だけ着脱可能に構成することもできる。さらに、感光体面板４７を開放することにより、各作像ユニットＳＵの脱着も可能となる。
【００３７】
そして、図４（ｂ）に示すように感光体面板４７を閉めてロックレバー５２の腕を縦方向に回したロック状態では、ロックレバー５２の突出腕５２ａが感光体面板４７を押さえ、感光体面板４７は開放不能にロックされる。したがってこのとき、中間転写ユニット２０も引き出し不能にロックされる。作像ユニットＳＵの脱着も不能である。
【００３８】
中間転写装置１０（中間転写ユニット２０）を装置本体の奥まで挿入してロックしたことを検出できるように、ロック部材５３の後端突出部５３ｂとセンサ５４が設けられている。センサ５４としては、例えば発光部と受光部とを有するフォトインタラプタを使用することができる。本例では、後端突出部５３ｂは平板状に形成され、センサ５４の検出部内に進入した後端突出部５３ｂが、図４（ａ）のロック解除状態では図４（ｃ）に示すように検出光を遮断せず、図４（ｂ）に示すようにロックレバー５２を回動してロック状態となることで、図４（ｄ）に示すように後端突出部５３ｂが検出光を遮断し、中間転写装置１０（中間転写ユニット２０）のロックを検出する。これにより中間転写装置１０（中間転写ユニット２０）が装置本体にセットされたことを検知する。センサ５４が中間転写装置１０（中間転写ユニット２０）のセット（ロック）を検知しないとき、少なくとも画像形成動作を行なわないように装置は制御される。なお、ここで説明した構成以外に、マイクロスイッチ等、他の任意の検知手段を採用することも可能である。
【００３９】
なお、図示を省略するが、画像形成装置の外装板には前カバーが設けられており、その前カバーを開放すると装置フレームの前面部が現われ、ロックレバー５２の操作及び感光体面板４７の開放が可能となる。また、ロックレバー５２及び感光体面板４７に対応する部分の外装板に、専用のドア等を設けてもよい。
【００４０】
上記のように、本例においては、中間転写装置１０とそのクリーニング装置１５とを一体的に中間転写ユニット２０として装置本体に着脱することが可能になっている。更に中間転写装置１０を装置本体に装着したままクリーニング装置１５だけを装置本体に着脱するように構成させることも可能である。クリーニング装置１５を中間転写装置１０とは別に着脱可能にしておけば、装置本体に着脱可能な複数のユニットを容易に着脱することができ、メンテナンス作業が一層容易となる。一般に中間転写ベルトよりも寿命の短いクリーニング部材（本例の場合はクリーニングブレード１６）を交換する場合、中間転写ユニット２０全体あるいは中間転写装置１０を取り外す必要が無いわけであるから、作業が容易となる。もちろん、中間転写ユニット２０を装置本体から取り外した後でクリーニング装置１５を中間転写装置１０から取り外す場合も、レール機構を採用しておけば、クリーニング装置１５をスライドさせて容易に取り外すことができる。また、中間転写ユニット２０の着脱方向が中間転写ベルト１１の回動軸に平行なため、中間転写ユニット２０を着脱可能に支持する構成、例えばガイドレールの設置方法などが簡単になる。
【００４１】
次に、二次転写ユニット３０（転写ローラ３４）の接離機構について説明する。まず図６において、既述のように、二次転写ユニット３０を支持する二次転写カバー４０は、開閉支軸２４を中心として回動するようになっていて、用紙搬送路を大きく開いてジャム処理できるようになっている。カバー４０を閉じた状態で、図７は待機時等、通常時の状態を、図８は作像時の状態を示している。通常時、二次転写ユニット３０は、カム６０が接離レバー６１を図７の右方向に押圧することで、接離支点６２を中心に回動して、転写ローラ３４が中間転写ベルト１１から離間している。作像時、カム６０が半回転することで二次転写ユニット３０が接離支点６２を中心に中間転写ユニット２０に向かう方向に回動し、転写ローラ３４は、カバー４０に取り付けられた付勢部材６４によってスプリング加圧され、二次転写ベルト１１に接触する。
【００４２】
カバー４０を閉じた状態で、二次転写ユニット３０を中間転写ユニット２０に対して接離する機構は、主としてカム６０と接離レバー６１で構成されるが、カム６０の回転は図９に示すように、カム軸６６に取り付けられたギヤ６７がギヤ６８と噛み合い、このギヤ６８がモータ７０につながったウォームギヤ６９に噛み合うことで、モータによりなされる。モータ７０に通電しない通常時には図７に示すようにカム６０が接離レバー６１を押圧して転写ローラ３４を中間転写ベルト１１から離間するので、中間転写ユニット２０を装置本体から取り出す際に転写ローラ３４が中間転写ベルト１１と擦れ合うことがなくなる。作像時にはモータ７０に通電することでカム６０が半回転して図８の位置をとり、転写ローラ３４が中間転写ベルト１１と接触して二次転写（用紙への転写）を行うことができるようになる。
【００４３】
以上、本発明を図示例により説明したが、本発明はこれに限定されるものではない。例えば、中間転写ベルトあるいは搬送ベルト（転写ベルト）の張設形状やガイドレールの構成等は、適宜設定できるものである。また、クリーニング装置の構成もブレード方式に限らず、クリーニングローラやクリーニングブラシ等、任意の方式を採用し得る。作像ユニットの構成や定着装置の構成等も任意である。もちろん、画像形成装置としてはプリンタに限らず、ファクシミリや複写機、あるいはそれらの複合機でも良い。
【図面の簡単な説明】
【００４４】
【図１】画像形成装置全体の構成を示す図である。
【図２】装置本体のフレーム構成を示す斜視図である。
【図３】中間転写ユニットが左右のガイドレールに支持された様子を示す斜視図である。
【図４】中間転写装置の取り出しを規制するロック機構を説明する図であり、図４（ａ）はロック解除状態、図４（ｂ）はロック状態、中間転写装置の装着（ロック）を検知する構成を図４（ｃ）、図（ｄ）でそれぞれ図４（ａ）、図４（ｂ）に対応させて説明する。
【図５】中間転写装置の着脱を規制するロック部材５３を説明する図で、図５（ａ）はロック解除（挿脱時）を、図５（ｂ）はロック状態を示す。
【図６】ジャム処理時の二次転写カバーの開放を示す図である。
【図７】二次転写カバーを閉じた状態で、待機時等、通常時の中間転写ユニットの状態を説明する図である。
【図８】二次転写カバーを閉じた状態で、作像時の中間転写ユニットの状態を説明する図である。
【図９】二次転写ユニットを中間転写ユニットに対して接離する機構を示す図である。
【符号の説明】
【００４５】
１１  中間転写ベルト
１２  支持ローラ（駆動ローラ）
２４  開閉支軸
２８  レジストローラ対
３０  二次転写ユニット
３６  定着装置
６０  カム
６１  接離レバー
６２  接離支点
【図１】
2006084957.tif 000003
【図２】
2006084957.tif 000004
【図３】
2006084957.tif 000005
【図４】
2006084957.tif 000006
【図５】
2006084957.tif 000007
【図６】
2006084957.tif 000008
【図７】
2006084957.tif 000009
【図８】
2006084957.tif 000010
【図９】
2006084957.tif 000011